(57)【要約】【課題】手軽に状態変化を楽しむことが可能な模型玩具及び鍋玩具を提供する。【解決手段】模型玩具は、載置部材と、係合部を有し、載置部材から離間した位置へ移動可能な第一移動部材５２と、載置部材側に付勢され、第一移動部材５１の移動に伴い係合部と係合する被係合部を有し、載置部材から離間した位置へ移動可能な第二移動部材５３と、第二移動部材５２の移動に伴い係合部及び被係合部の一方又は両方の軌道を変えて、係合部と被係合部の係合を解除する案内部５１６と、を備える。【選択図】図５
2020188978.tif 000002
【特許請求の範囲】
【請求項１】
載置部材と、
係合部を有し、前記載置部材から離間した位置へ移動可能な第一移動部材と、
前記載置部材側に付勢され、前記第一移動部材の移動に伴い前記係合部と係合する被係合部を有し、前記載置部材から離間した位置へ移動可能な第二移動部材と、
前記第二移動部材の移動に伴い前記係合部及び前記被係合部の一方又は両方の軌道を変えて、前記係合部と前記被係合部の係合を解除する案内部と、
を備えることを特徴とする模型玩具。
【請求項２】
前記載置部材の外周に形成されて前記第一移動部材を前記載置部材から離間した位置へ押圧可能な枠部材と、
前記枠部材と一体に接続された長尺状の操作部と、
を備えることを特徴とする請求項１に記載の模型玩具。
【請求項３】
前記枠部材は、前記載置部材に対する前記第一移動部材の反対側を支点、前記操作部を力点、前記支点及び前記力点の中間に位置し前記第一移動部材と当接する前記枠部材の下縁を作用点として、回動可能に形成されることを特徴とする請求項２に記載の模型玩具。
【請求項４】
前記第二移動部材の先端部は、前記載置部材の中心よりも前記第一移動部材側に当接することを特徴とする請求項１乃至請求項３の何れかに記載の模型玩具。
【請求項５】
前記第一移動部材は、前記載置部材側に付勢され、
前記係合部は、前記第一移動部材に対して固定された第一突起であり、
前記被係合部は、前記第二移動部材に対して弾発部を介して設けられた第二突起であり、
前記第一突起は、前記載置部材側に傾斜部を有し、
前記第二突起は、前記載置部材とは反対側に傾斜部を有し、
前記第一移動部材の前記載置部材側の端部から前記係合部までの距離は、前記第二移動部材の前記載置部材側の端部から前記被係合部までの距離よりも短い、
ことを特徴とする請求項１乃至請求項４の何れかに記載の模型玩具。
【請求項６】
前記第一移動部材を摺動可能に収容する第一収容部と、仕切壁により前記第一収容部から一部が仕切られて前記第二移動部材を摺動可能に収容する第二収容部と、が設けられた収容部材を備え、
前記弾発部、前記係合部、及び前記被係合部は、前記仕切壁の側方に配置される、
ことを特徴とする請求項５に記載の模型玩具。
【請求項７】
鍋底部材と、
係合部を有し、前記鍋底部材から離間した位置へ移動可能な第一移動部材と、
前記鍋底部材側に付勢され、前記第一移動部材の移動に伴い前記係合部と係合する被係合部を有し、前記載置部材から離間した位置へ移動可能な第二移動部材と、
前記第二移動部材の移動に伴い前記係合部及び前記被係合部の一方又は両方の軌道を変えて、前記係合部と前記被係合部の係合を解除する案内部と、
前記鍋底部材の外周に形成されて、前記第一移動部材を前記鍋底部材から離間した位置へ押圧可能な鍋枠部材と、
前記鍋枠部材と一体に接続された長尺状の取手と、
を備えることを特徴とする鍋玩具。
【発明の詳細な説明】
【技術分野】
【０００１】
本発明は、模型玩具及び鍋玩具に関する。
【背景技術】
【０００２】
従来から、キッチン設備やキッチン用具を模した模型玩具が提案されている。例えば特許文献１の玩具は、蓋付き両手鍋やフライパンを模した付属形象物を上面に配置させた、ガスレンジを模した主形象物を有する。フライパンを模した付属形象物の取手は、主形象物の手を模した身体部に掴まれており、この身体部の動きに追従して付属形象物も左右に反復動作し、恰もフライパンをコンロの上で振り動かしているかのような動きを幼児に学習させるということが記載されている。
【先行技術文献】
【特許文献】
【０００３】
【特許文献１】特開２００６−３４０９６８号
【発明の概要】
【発明が解決しようとする課題】
【０００４】
しかしながら特許文献１に開示されるフライパンでは、調理対象物との連携がなく、調理前後の状態変化を手軽に楽しむことが難しかった。
【０００５】
本発明は、手軽に状態変化を楽しむことが可能な模型玩具及び鍋玩具を提供することを目的とする。
【課題を解決するための手段】
【０００６】
本発明の一つの態様に係る模型玩具は、載置部材と、係合部を有し、前記載置部材から離間した位置へ移動可能な第一移動部材と、前記載置部材側に付勢され、前記第一移動部材の移動に伴い前記係合部と係合する被係合部を有し、前記載置部材から離間した位置へ移動可能な第二移動部材と、前記第二移動部材の移動に伴い前記係合部及び前記被係合部の一方又は両方の軌道を変えて、前記係合部と前記被係合部の係合を解除する案内部と、を備えることを特徴とする。
【０００７】
本発明の他の態様に係る鍋玩具は、鍋底部材と、係合部を有し、前記鍋底部材から離間した位置へ移動可能な第一移動部材と、前記鍋底部材側に付勢され、前記第一移動部材の移動に伴い前記係合部と係合する被係合部を有し、前記載置部材から離間した位置へ移動可能な第二移動部材と、前記第二移動部材の移動に伴い前記係合部及び前記被係合部の一方又は両方の軌道を変えて、前記係合部と前記被係合部の係合を解除する案内部と、前記鍋底部材の外周に形成されて、前記第一移動部材を前記鍋底部材から離間した位置へ押圧可能な鍋枠部材と、前記鍋枠部材と一体に接続された長尺状の取手と、を備えることを特徴とする。
【発明の効果】
【０００８】
上記の態様によれば、手軽に状態変化を楽しむことが可能な模型玩具及び鍋玩具を提供することができる。
【図面の簡単な説明】
【０００９】
【図１】本発明の実施形態に係るキッチン玩具の全体斜視図である。
【図２】本発明の実施形態に係るキッチン玩具の外壁及び鍋玩具を外した状態の斜視図である。
【図３】本発明の実施形態に係る鍋玩具の正面上方側から見た分解斜視図である。
【図４】本発明の実施形態に係る鍋玩具の背面下方側から見た分解斜視図である。
【図５】本発明の実施形態に係るキッチン玩具の断面図であり、（ａ）は図１に示したキッチン玩具のＶａーＶａ断面図であり、（ｂ）は図５（ａ）に示したキッチン玩具のＶｂ−Ｖｂ断面図である。
【図６】本発明の実施形態に係る鍋玩具の動作を示す図であり、（ａ）は鍋玩具の操作部を押下した状態を示し、（ｂ）は鍋本体の操作部を押下して第一移動部材と第二移動部材の係合が解除された状態を示す。
【図７】本発明の実施形態に係る鍋玩具の動作を示す図であり、第二移動部材が鍋底部材を打撃する様子を示している。
【発明を実施するための形態】
【００１０】
次に、図に基づいて、本発明の実施形態を説明する。図１はキッチン玩具１の全体斜視図である。また、図２はキッチン玩具１の外壁２３と鍋本体４とを省略して示した斜視図である。キッチン玩具１は、人形等を用いながら飯事遊びができる玩具である。キッチン玩具１には鍋本体４が配置される。キッチン玩具１内には、遊戯者が鍋本体４の操作部４３を押し下げると鍋底部材４２に衝撃を加えることを可能とする打撃機構５が設けられている。鍋底部材４２に衝撃が加えられると、鍋底部材４２の上に載置された調理対象物Ｆｄ（図５乃至図７に図示）が跳ね上がる。従って、調理を模した遊びを手軽に行うことができる。以下の説明では、キッチン玩具１の扉部２４側を前、その反対側を後とし、キッチン玩具１の正面側から見たコンロ２２側を右、その反対側を左とする。
【００１１】
キッチン玩具１は、全体が横長の略直方体状に形成され、上部に流し台２１やコンロ２２を備えた本体部２と、コンロ２２に配置された鍋玩具３とを備える。キッチン玩具１の外壁２３は、前面と左右の側面と底面とが一体に設けられる。外壁２３の前面側には、両開き可能な開き戸である扉部２４と、コンロ２２の操作摘みを模した操作部２５が形成される。
【００１２】
流し台２１には、蛇口２１１とシンク２１２が配置される。シンク２１２の下面側のキッチン玩具１内には、図２に示すように、シンク２１２の排水溝部分から連通した状態を模して形成された配水管２１３が設けられる。
【００１３】
コンロ２２に配置された鍋玩具３は、フライパンを模した鍋本体４と、鍋本体４を鍋底部材４２の下面側から打撃する打撃機構５とを含む。コンロ２２の後方には、鍋本体４を回動可能に支持する支持軸２２１が対向するように突出して形成される（対向する一方の支持軸は不図示）。打撃機構５は、図２に示すように、キッチン玩具１内に配置されており、後述する第一移動部材５２及び第二移動部材５３の上端の一部は鍋本体４に当接することができる。
【００１４】
ここで、鍋玩具３の各部品について説明する。図３は鍋玩具３を正面上方側から見た分解斜視図である。また図４は鍋玩具３を背面下方側から見た分解斜視図である。
【００１５】
鍋本体４は、鍋枠部材４１（枠部材）と、鍋枠部材４１の内側に配置される鍋底部材４２により形成される。鍋枠部材４１は、上方に向かって拡径するように上下が開口した略円錐台筒状に形成されている。鍋枠部材４１の前方側の外側面からは、長尺平板状の取手を模した操作部４３が延設される。鍋枠部材４１の枠の高さは周方向に異なっており、操作部４３を設けた前方側よりも後方枠部４１ａ側の方がやや高くなるように形成されている。鍋枠部材４１の後方側の外側面には、軸受部４１１が形成される。軸受部４１１に支持軸２２１が係合されて、鍋枠部材４１はコンロ２２の後方側を軸に上下に回動できる。
【００１６】
鍋枠部材４１の操作部４３側の下端には、鍋枠部材４１の下降の限界位置を規制する規制突起４１３が２箇所に設けられる。鍋枠部材４１がコンロ２２に対して下方へ回動すると、規制突起４１３はコンロ２２の前方側に設けられた溝部２２２（図１参照）の底部に当接して、移動を規制する。規制突起４１３の間には、後述する第一移動部材５２の当接部５２１と当接する押圧部４１２が形成される。
【００１７】
また、載置部材である鍋底部材４２は、図４に示すように、略円板状に形成される。鍋底部材４２は、鍋枠部材４１の下方の開口部を塞ぐように配置される。鍋底部材４２は、下面側に設けられた螺子孔である固定孔４２１により（図４参照）コンロ２２に対して固定される。鍋底部材４２の上面には載置物である調理対象物Ｆｄが載置される（図５乃至図７参照）。
【００１８】
打撃機構５は、コンロ２２の下方に固定される収容部材５１と、収容部材５１内に摺動可能に配置される第一移動部材５２及び第二移動部材５３とを備える。収容部材５１は、下端側を有底とした四角筒状に形成される。また、収容部材５１の前面には、上端から下方へ向かって切欠かれた矩形状の切欠部５１１が形成される。
【００１９】
収容部材５１内には、図３の右方の内壁から左方へ立設する長尺平板状の仕切壁５１２が設けられる。仕切壁５１２は、収容部材５１の底部から上端に亘って上下方向に形成される。収容部材５１内の仕切壁５１２と対向する左方の内壁には、溝部５１３が形成される。溝部５１３も収容部材５１の底部から上端に亘って上下方向に形成される。
【００２０】
収容部材５１の仕切壁５１２よりも前方の第一収容部５１７には、第一移動部材５２が上下方向に摺動可能に収容される。また、収容部材５１の仕切壁５１２よりも後方の第二収容部５１８には、第二移動部材５３が上下方向に摺動可能に収容される。
【００２１】
第一収容部５１７及び第二収容部５１８内には、それぞれ略円柱状の突起部５１４及び突起部５１５が設けられる。突起部５１４は、収容部材５１の幅方向右方に配置され、切欠部５１１の下縁と略同じ高さ位置に設けられる。突起部５１４は、突起部５１５よりも上方に設けられる。
【００２２】
収容部材５１は、突起部５１４の左側に隣接する案内部５１６を左方の内壁に有する。案内部５１６の先端は、収容部材１５の内側からの側面視において略半円弧状に形成される。案内部５１６は溝部５１３の前縁を前後に跨るように配置される。
【００２３】
第一移動部材５２は、上端側が閉塞された四角筒状に形成される。第一移動部材５２の上端前方側には、鍋枠部材４１と当接可能な四角柱状の当接部５２１が形成される。当接部５２１の先端部５２１ａは平坦状に形成される。
【００２４】
また、第一移動部材５２の後方側面の下端には、第一突起５２２（係合部）が形成される。第一突起５２２は、平坦な傾斜部５２２ａを有し、下方へ向かうに従って後方へ突出するように形成される。第一移動部材５２の後方側面のうち第一突起５２２の上方部分には、浅く窪んだ段部５２３が上下方向に形成される。
【００２５】
第一移動部材５２は、下端を開口させた収容部５２４を有する。収容部５２４内には弾性部材であるコイルばねＳ１が収容される。コイルばねＳ１の下端側は、図３等に示される突起部５１４に巻回されて支持される。
【００２６】
第二移動部材５３も、上端側が閉塞された四角筒状に形成される。第二移動部材５３の前面及び左側面には下端から上方に向かってスリット５３１，５３２が延設されて、長尺な略矩形状の弾発部５３３が形成される。弾発部５３３は、上端側を支点として前後に弾性変形可能な片持ちの板バネ状に形成される。弾発部５３３の下端の前方には、第二突起５３４（被係合部）が形成される。第二突起５３４は、平坦な傾斜部５３４ａを有し、上方へ向かうに従って前方へ突出するように形成される。また、左側面側のスリット５３２のうち、弾発部５３３側と対向する内縁には傾斜縁５３２ａが形成される。傾斜縁５３２ａは、スリット５３２の下端側に形成され、スリット幅が下方へ向かって拡開するように傾斜している。そのため、弾発部５３３の後方への回動範囲を広く確保することができる。
【００２７】
第二移動部材５３の第一移動部材５２側の上部には、四角柱状の首部５３５を介して上端に接続された打撃部５３６が形成される。打撃部５３６は、首部５３５側の前方に傾斜部５３６ａ（図３のＡ方向から見たＰ部拡大図参照）を有して、首部５３５よりも前方側に突出するように形成される。打撃部５３６の先端部５３６ｂ側の後方にも傾斜部５３６ｃが形成される。従って、鍋底部材４２と当接する先端部５３６ｂの中心は、首部５３５の中心よりも前方側に配置される。
【００２８】
図４に示すように、第二移動部材５３は、下端を開口させた収容部５３７を有する。収容部５３７内には、弾性部材であるコイルばねＳ２が収容される。コイルばねＳ２の下端側は、図３等に示される突起部５１５に巻回されて支持される。
【００２９】
また、第二移動部材５３の打撃部５３６の後方の上面には、略Ｕ字状に窪んだ窪み部５３８が形成される。窪み部５３８は、鍋底部材４２をコンロ２２に対して固定する際の螺子Ｓｃ（図５（ａ）参照）との干渉を避ける逃げ部とすることができる。
【００３０】
次に、鍋玩具３周辺の組み付け状態の構成について説明する。図５（ａ）は図１に示したキッチン玩具１のＶａ−Ｖａ断面図である。図５（ｂ）は図５（ａ）に示したキッチン玩具１のＶｂ−Ｖｂ断面図である。なお、図３に示したように前方の突起部５１４は後方の突起部５１５よりも右方に設けられており、図５（ａ）では、収容部材５１の前方側を突起部５１４の中心で、収容部材５１の後方側を突起部５１５の中心で切断した組み合わせ断面図を示している（図６及び図７も同様）。
【００３１】
図５（ｂ）に示すように、第一移動部材５２の左右方向への移動は、第一収容部５１７の内壁により規制される。第一移動部材５２の後方向への移動は、仕切壁５１２により規制され、前方向への移動は外壁２３の内面により規制される。また、第二移動部材５３の左右及び後方向への移動は、第二収容部５１８の内壁により規制される。第二移動部材５３の前方向への、移動は仕切壁５１２により規制される。そのため、第一移動部材５２及び第二移動部材５３は、それぞれ第一収容部５１７内及び第二収容部５１８内において上下に摺動可能に収容される。
【００３２】
次に、鍋玩具３の動作について説明する。第一移動部材５２の鍋底部材４２側の端部である先端部５２１ａから第一突起５２２までの上下方向の距離は、第二移動部材５３の鍋底部材４２側の端部である先端部５３６ｂから第二突起５３４までの上下方向の距離よりも短く形成される。従って、図５（ａ）に示す待機状態では、第二移動部材５３の第二突起５３４は、第一移動部材５２の第一突起５２２よりも下方に位置している。このとき、第一移動部材５２の当接部５２１は、鍋枠部材４１の下縁に形成された押圧部４１２に対して下方側からコイルばねＳ１により付勢されて当接している。また、第二移動部材５３の打撃部５３６は、鍋底部材４２に対して下方側からコイルばねＳ２により付勢されて当接している。第二移動部材５３の先端部５３６ｂは、鍋底部材４２の中心よりも前方側である第一移動部材５２側に当接する。
【００３３】
鍋玩具３の待機状態において、遊戯者が操作部４３を下方へ押下すると、鍋枠部材４１の押圧部４１２が第一移動部材５２の当接部５２１をコイルばねＳ１の弾発力に抗して下方へ押下げる。鍋枠部材４１は、鍋底部材４２に対する第一移動部材５２の反対側を支点（支持軸２２１）、操作部４３を力点とし、支点及び力点の中間に位置し第一移動部材５２と当接する鍋枠部材４１の下縁（押圧部４１２）を作用点として、回動可能に形成される。
【００３４】
すると、図６（ａ）に示すように、第一移動部材５２の第一突起５２２が第二移動部材５３の第二突起５３４と係合（当接）して第二突起５３４を下方へ押下げる。このため、第二移動部材５３は、コイルばねＳ２の弾発力に抗して下方へ移動する。第二移動部材５３が第二収容部５１８内を下方へ移動すると、第二突起５３４の傾斜部５３４ａが案内部５１６に当接する。傾斜部５３４ａが側面視半円弧状に湾曲した案内部５１６の後方側と当接するため、第二突起５３４を含む弾発部５３３は弾発力に抗して後方へ撓む。これにより、第二突起５３４は第一突起５２２に対して離間する方向へ後退し、第二突起５３４と第一突起５２２との係合状態が浅くなる（当接面積が減少する）。
【００３５】
図６（ｂ）に示すように操作部４３が更に下方へ押下されると、第一移動部材５２及び第二移動部材５３が更に下降するとともに、第二移動部材５３の第二突起５３４が第一突起５２２に対してさらに後退し、第一突起５２２と第二突起５３４の係合が解除される。
【００３６】
第一突起５２２及び第二突起５３４の係合が解除されると、図７に示すように、第二移動部材５３は、コイルばねＳ２の弾発力により第二収容部５１８により案内されながら鍋底部材４２側へ勢いよく上昇する。すると、第二移動部材５３の打撃部５３６の先端部５３６ｂは、鍋底部材４２の下面に衝突して鍋底部材４２に衝撃を加える。打撃部５３６は、鍋底部材４２の中心よりも前方側である第一移動部材５２側に衝突する。これにより、鍋底部材４２上に載置されていた調理対象物Ｆｄは、上方に又はやや後方斜め上方に跳ね上がる。鍋枠部材４１の枠の高さは、後方枠部４１ａ側の方がやや高くなるように形成されている。このため、前方側から調理対象物Ｆｄを遊戯者が目視しやすくするとともに、調理対象物Ｆｄが後方へ跳ね上がった場合でも後方枠部４１ａにより鍋本体４の外へ落下することを容易に防止することができる。
【００３７】
そして、遊戯者が操作部４３を放すと、第一移動部材５２は、コイルばねＳ１の弾発力により第一収容部５１７により案内されながら上昇し、鍋玩具３の待機状態の位置に戻る。遊戯者は、操作部４３を押下げる操作を繰り返して、繰り返し調理対象物Ｆｄを跳ね上げることができる。
【００３８】
調理対象物Ｆｄは、例えば、調理対象物Ｆｄをホットケーキ等の両面を焼く料理である場合、一方の面Ｆ１に調理前の模様や色（例えば無模様で明るい材料生地の色）を形成し、他方の面Ｆ２に調理後を模した模様や色（例えば格子状の網模様で暗い焼いた後の色）を形成することができる。鍋底部材４２の下方から衝撃を加えることで跳ね上がり、鍋底部材４２に下落した調理対象物Ｆｄは、ランダムに面Ｆ１又は面Ｆ２が上方を向いた状態になる。これにより、調理対象物Ｆｄの表面が一方の面Ｆ１から他方の面Ｆ２に反転することで、調理対象物Ｆｄが調理を行えたことを模すことができる。
【００３９】
以上のような本発明の実施形態によれば、下記の態様の模型玩具及び鍋玩具３を提供することができる。
【００４０】
第１の態様に係る模型玩具は、載置部材と、係合部を有し、前記載置部材から離間した位置へ移動可能な第一移動部材と、前記載置部材側に付勢され、前記第一移動部材の移動に伴い前記係合部と係合する被係合部を有し、前記載置部材から離間した位置へ移動可能な第二移動部材と、前記第二移動部材の移動に伴い前記係合部及び前記被係合部の一方又は両方の軌道を変えて、前記係合部と前記被係合部の係合を解除する案内部と、を備える。
【００４１】
この構成によれば、遊戯者が操作部４３を一方向に移動させる（実施形態の例では押下する）操作を行えば第二移動部材５３により載置部材に対して下方から衝撃を加えることができ、載置部材に載置された調理対象物Ｆｄ等の載置物を跳ね上がらせて容易に裏返すことができる。従って、載置部材に乗せた載置物を手軽に状態変化させて楽しむことができる。
【００４２】
第２の態様に係る模型玩具は、前記載置部材の外周に形成されて前記第一移動部材を前記載置部材から離間した位置へ押圧可能な枠部材と、前記枠部材と一体に接続された長尺状の操作部と、を備える。
【００４３】
この構成によれば、操作部４３により第一移動部材５２と当接する鍋枠部材４１を容易に押し下げることを可能とするとともに、跳ね上がった調理対象物Ｆｄ等の載置物の着地の際に載置部材の外に載置物がこぼれることを防止することができる。
【００４４】
第３の態様に係る模型玩具は、前記枠部材は、前記載置部材に対する前記第一移動部材の反対側を支点、前記操作部を力点、前記支点及び前記力点の中間に位置し前記第一移動部材と当接する前記枠部材の下縁を作用点として、回動可能に形成される。
【００４５】
この構成によれば、操作部４３を操作して、第一移動部材５２を軽い力で容易に移動させることができる。
【００４６】
第４の態様に係る模型玩具は、前記第二移動部材の先端部は、前記載置部材の中心よりも前記第一移動部材側に当接する。
【００４７】
この構成によれば、載置部材に載置された調理対象物Ｆｄ等の載置物を、第一移動部材５２の反対側のやや斜め方向へ容易に跳ね上がらせることができる。
【００４８】
第５の態様に係る模型玩具は、前記第一移動部材は、前記載置部材側に付勢され、前記係合部は、前記第一移動部材に対して固定された第一突起であり、前記被係合部は、前記第二移動部材に対して弾発部を介して設けられた第二突起であり、前記第一突起は、前記載置部材側に傾斜部を有し、前記第二突起は、前記載置部材とは反対側に傾斜部を有し、前記第一移動部材の前記載置部材側の端部から前記係合部までの距離は、前記第二移動部材の前記載置部材側の端部から前記被係合部までの距離よりも短い。
【００４９】
この構成によれば、第二移動部材５３を載置部材に衝突させた後に、第一移動部材５２の操作を解除すると、第一移動部材５２を自動で元の待機位置（すなわち第一移動部材５２及び第二移動部材５３の両方が鍋本体４と当接する初期状態の位置）に戻すことができる。そのため、遊戯者は、第一移動部材５２を一方向に押し下げる動作を繰り返して、載置部材に衝撃を加える動作を容易に繰り返すことができる。
【００５０】
第６の態様に係る模型玩具は、前記第一移動部材を摺動可能に収容する第一収容部と、仕切壁により前記第一収容部から一部が仕切られて前記第二移動部材を摺動可能に収容する第二収容部と、が設けられた収容部材を備え、前記弾発部、前記係合部、及び前記被係合部は、前記仕切壁の側方に配置される。
【００５１】
この構成によれば、第一移動部材５２及び第二移動部材５３の摺動方向の案内を安定して行わせながら、係合部及び被係合部（本実施形態では第一突起５２２及び第二突起５３４）の係脱に必要な空間を確保することができる。
【００５２】
第７の態様に係る鍋玩具は、鍋底部材と、係合部を有し、前記載置部材から離間した位置へ移動可能な第一移動部材と、前記鍋底部材側に付勢され、前記第一移動部材の移動に伴い前記係合部と係合する被係合部を有し、前記載置部材から離間した位置へ移動可能な第二移動部材と、前記第二移動部材の移動に伴い前記係合部及び前記被係合部の一方又は両方の軌道を変えて前記係合部と前記被係合部の係合を解除する案内部と、前記鍋底部材の外周に形成されて前記第一移動部材を前記鍋底部材から離間した位置へ押圧可能な鍋枠部材と、前記鍋枠部材と一体に接続された長尺状の取手と、を備える。
【００５３】
この構成によれば、遊戯者が操作部４３を一方向に移動させる（実施形態の例では押下する）操作を行えば第二移動部材５３により載置部材に対して下方から衝撃を加えることができ、載置部材に載置された調理対象物Ｆｄを跳ね上がらせて容易に裏返すことができる。そして、操作部４３により第一移動部材５２と当接する鍋枠部材４１を容易に押し下げることを可能とするとともに、跳ね上がった調理対象物Ｆｄの着地の際に鍋底部材４２の外にこぼれることを防止することができる。従って、鍋本体４の鍋底部材４２に乗せた調理対象物Ｆｄを手軽に調理最中や調理後の状態に変化させて楽しむことができる。
【００５４】
以上、本発明の実施形態を説明したが、本発明は本実施形態によって限定されることは無く、種々の変更を加えて実施することができる。例えば、本実施形態では、第一移動部材５２の収容部５２４内にコイルばねＳ１を配置した構成について示したが、コイルばねＳ１、収容部５２４及び突起部５１４の構成を省略して、第一移動部材５２を鍋本体４側の初期位置に手動で戻してもよい。第一移動部材５２は、第二移動部材５３のコイルばねＳ２により、第一突起５２２及び第二突起５３４の係合によって鍋本体４側へ付勢させて、第一移動部材５２が鍋本体４に当接する構成としてもよい。
【００５５】
また、第一突起５２２及び第二突起５３４は、いずれか一方を突起部として他方を溝部とするなど、係合部と被係合部の関係となる他の形状により形成することができる。
【００５６】
また、本実施形態では、第二移動部材５３が鍋底部材４２から離間した位置へ移動すると、案内部５１６が第二突起５３４の軌道を変えて第一突起５２２及び第二突起５３４の係合を解除する構成について示したが、第一突起５２２を第一移動部材５２に弾発部を介して設け、案内部５１６が第一突起５２２の軌道を変えるように構成してもよいし、第一突起５２２及び第二突起５３４の両方の軌道を変えるように構成してもよい。
【００５７】
また、本実施形態では、載置部材として鍋底部材４２を有した鍋玩具３について説明したが、載置部材に振動を与えて載置物を跳ね上がらせて状態を変化させる他の形態の模型玩具に適用することができる。模型玩具としては、例えば、トースター、オーブン、窯等を模した玩具とすることができる。
【符号の説明】
【００５８】
１        キッチン玩具                ２        本体部
３        鍋玩具                      ４        鍋本体
５        打撃機構                    ２１      流し台
２２      コンロ                      ２３      外壁
２４      扉部                        ２５      操作部
４１      鍋枠部材（枠部材）          ４１ａ    後方枠部
４２      鍋底部材（載置部材）        ４３      操作部
５１      収容部材                    ５２      第一移動部材
５３      第二移動部材                ２１１    蛇口
２１２    シンク                      ２１３    配水管
２２１    支持軸                      ２２２    溝部
４１１    軸受部                      ４１２    押圧部
４１３    規制突起                    ４２１    固定孔
５１１    切欠部                      ５１２    仕切壁
５１３    溝部                        ５１４    突起部
５１５    突起部                      ５１６    案内部
５１７    第一収容部                  ５１８    第二収容部
５２１    当接部                      ５２１ａ  先端部
５２２    第一突起                    ５２２ａ  傾斜部
５２３    段部                        ５２４    収容部
５３１    スリット                    ５３２    スリット
５３２ａ  傾斜縁                      ５３３    弾発部
５３４    第二突起                    ５３４ａ  傾斜部
５３５    首部                        ５３６    打撃部
５３６ａ  傾斜部                      ５３６ｂ  先端部
５３６ｃ  傾斜部                      ５３７    収容部
５３８    窪み部
Ｆ１      面                          Ｆ２      面
Ｆｄ      調理対象物                  Ｓ１      コイルばね
Ｓ２      コイルばね                  Ｓｃ      螺子
【図１】
2020188978.tif 000003
【図２】
2020188978.tif 000004
【図３】
2020188978.tif 000005
【図４】
2020188978.tif 000006
【図５】
2020188978.tif 000007
【図６】
2020188978.tif 000008
【図７】
2020188978.tif 000009